(57)【要約】複数の物品を運搬するためのカートン。このカートンは、少なくとも１つのボトムパネルと、少なくとも１つのボトムパネルに折り曲げ可能に接続されている第１のサイドパネルと、少なくとも１つのボトムパネルに折り曲げ可能に接続されている第２のサイドパネルと、第１のサイドパネル及び第２のサイドパネルのうちのなくとも一方に折り曲げ可能に接続されているトップパネルとを備える。ハンドルが、折り線においてトップパネルに折り曲げ可能に接続されている少なくとも１つのハンドルフラップを含む。少なくとも１つのハンドルフラップは、少なくとも１つのハンドルフラップの最大幅に相当する第１の幅を有する。トップパネルは、トップパネルの第１の縁及び第２の縁の間の最小距離に相当する第２の幅を有する。第１の幅は第２の幅よりも狭い。
2014503425.tif 000002
【特許請求の範囲】
【請求項１】
複数の物品を運搬するためのカートンであって、
少なくとも１つのボトムパネルと、
少なくとも１つのボトムパネルに折り曲げ可能に接続されている第１のサイドパネルと、
前記少なくとも１つのボトムパネルに折り曲げ可能に接続されている第２のサイドパネルと、
前記第１のサイドパネル及び前記第２のサイドパネルのうちの少なくとも一方に折り曲げ可能に接続されているトップパネルと、
該カートンを把持して運搬するためのハンドルであって、該ハンドルは、折り線において前記トップパネルに折り曲げ可能に接続されている少なくとも１つのハンドルフラップを含み、該少なくとも１つのハンドルフラップは、該少なくとも１つのハンドルフラップの最大幅に相当する第１の幅を有する、ハンドルと、
を備え、
前記トップパネルは、該トップパネルの第１の縁及び第２の縁の間の最小距離に相当する第２の幅を有し、
前記第１の幅は前記第２の幅よりも狭く、
前記トップパネル内に、前記折り線の第１の端から前記トップパネルの前記第１の縁まで延びる第１の弱化線と、前記トップパネル内に、前記折り線の第２の端から前記トップパネルの前記第２の縁まで延びる第２の弱化線とを含む、複数の物品を運搬するためのカートン。
【請求項２】
前記第１の弱化線及び前記第２の弱化線は、前記第１の縁及び前記第２の縁に対して斜めである、請求項１に記載のカートン。
【請求項３】
前記第１のサイドパネルは、前記第１の縁に対応する第１の横方向折り線において前記トップパネルに折り曲げ可能に接続されており、前記第２のサイドパネルは、前記第２の縁に対応する第２の横方向折り線において前記トップパネルに折り曲げ可能に接続されており、前記ハンドルフラップを前記トップパネルに接続する前記折り線は、前記第１の横方向折り線及び前記第２の横方向折り線に対して直交する縦方向折り線である、請求項２に記載のカートン。
【請求項４】
請求項２に記載のカートンであって、前記折り線は、該カートンの端から第１の距離だけ離間しており、前記第１の弱化線は、該カートンの前記端から第２の距離だけ離間した位置において前記第１の縁と交差し、前記第２の距離は前記第１の距離よりも短い、カートン。
【請求項５】
前記第１の弱化線は、前記トップパネル内に第１の部分と、前記第１のサイドパネル内に、前記第１の縁から延びる第２の部分とを含む、請求項４に記載のカートン。
【請求項６】
前記第１の部分は、前記折り線に対して斜めである、請求項５に記載のカートン。
【請求項７】
前記第１の部分は概ね湾曲している、請求項５に記載のカートン。
【請求項８】
前記第２の部分は、前記第１の縁に対して概ね垂直に延び、前記第１のサイドパネル内のＪ字型の切れ目において終端する、請求項５に記載のカートン。
【請求項９】
前記第２の部分は、前記第１のサイドパネル内のＣ字型の切れ目において終端する、請求項５に記載のカートン。
【請求項１０】
前記第２の弱化線は、前記トップパネル内に第１の部分と、前記第２のサイドパネル内に、前記第２の縁から延びる第２の部分とを含み、前記第２の弱化線の前記第１の部分は、前記折り線に対して斜めであり、前記第２の弱化線の前記第２の部分は、前記第２の縁に対して概ね垂直に延びる、請求項５に記載のカートン。
【請求項１１】
前記第２の弱化線の前記第２の部分は、前記第２のサイドパネル内のＪ字型の切れ目において終端する、請求項１０に記載のカートン。
【請求項１２】
前記第２の弱化線の前記第２の部分は、前記第２のサイドパネル内のＣ字型の切れ目において終端する、請求項１０に記載のカートン。
【請求項１３】
前記ハンドルは、前記トップパネル内に、前記ハンドルフラップに隣接した開口部を含む、請求項１に記載のカートン。
【請求項１４】
前記開口部は、概ね弓状であり、前記ハンドルフラップの湾曲縁に隣接している、請求項１３に記載のカートン。
【請求項１５】
請求項１に記載のカートンであって、前記少なくとも１つのハンドルフラップは、第１のハンドルフラップであり、前記折り線は第１の折り線であり、該カートンは、第２の折り線において前記トップパネルに折り曲げ可能に接続されている第２のハンドルフラップを更に備え、該第２のハンドルフラップは、前記第１のハンドルフラップの前記第１の幅に相当する最大幅を有する、カートン。 
【請求項１６】
前記トップパネル内に、前記第２の折り線の第１の端から前記トップパネルの前記第１の縁まで延びる第３の弱化線と、前記トップパネル内に、前記第２の折り線の第２の端から前記トップパネルの前記第２の縁まで延びる第４の弱化線とを更に含む、請求項１５に記載のカートン。
【請求項１７】
請求項１６に記載のカートンであって、前記第２の折り線は、該カートンの端から第１の距離だけ離間しており、前記第３の弱化線は、該カートンの前記端から第２の距離だけ離間した位置において前記トップパネルの前記第１の縁と交差し、前記第２の距離は前記第１の距離よりも短い、カートン。
【請求項１８】
前記第１の弱化線、前記第２の弱化線、前記第３の弱化線、及び前記第４の弱化線は、引き裂き線である、請求項１６に記載のカートン。
【請求項１９】
前記第１の幅は、前記第２の幅よりも少なくとも３０％狭い、請求項１に記載のカートン。
【請求項２０】
前記複数の物品との組み合わせにおける請求項３に記載のカートンであって、前記物品は、該カートン内で第１の横列及び第２の横列に配置されたボトルを含み、該ボトルは、前記トップパネルと接触する頂部を有しており、前記第１の横方向折り線は、前記第１の横列の前記ボトルの前記キャップの中心線と概ね位置合わせされており、前記第２の横方向折り線は、前記第２の横列の前記ボトルの前記キャップの中心線と概ね位置合わせされている、請求項３に記載のカートン。
【請求項２１】
前記トップパネルは、第２のトップパネルに重なる第１のトップパネルを含み、該第１のトップパネルは、前記少なくとも１つのハンドルフラップを含み、前記第２のトップパネルは、前記少なくとも１つのハンドルフラップに位置合わせされる開口部を含む、請求項１に記載のカートン。
【請求項２２】
前記少なくとも１つのボトムパネルは、前記第１のサイドパネルに折り曲げ可能に接続されている第１のボトムパネルと、前記第２のサイドパネルに折り曲げ可能に接続されている第２のボトムパネルとを含む、請求項１に記載のカートン。
【請求項２３】
前記少なくとも１つのボトムパネルは、前記第１のサイドパネル及び前記第２のサイドパネルに折り曲げ可能に接続されているボトムパネルを含む、請求項１に記載のカートン。
【請求項２４】
複数の物品を運搬するためのカートンを形成するブランクであって、
少なくとも１つのボトムパネルと、
前記少なくとも１つのボトムパネルに折り曲げ可能に接続されている第１のサイドパネルと、
前記少なくとも１つのボトムパネルに折り曲げ可能に接続されている第２のサイドパネルと、
前記第１のサイドパネル及び前記第２のサイドパネルのうちの少なくとも一方に折り曲げ可能に接続されている、少なくとも１つのトップパネルと、
該ブランクから形成される前記カートンを把持して運搬するためのハンドルを形成するハンドル機能部であって、該ハンドル機能部は、第１の折り線において前記トップパネルに折り曲げ可能に接続されている少なくとも１つのハンドルフラップを含み、該少なくとも１つのハンドルフラップは、該少なくとも１つのハンドルフラップの最大幅に相当する第１の幅を有する、ハンドル機能部と、
を備え、
前記少なくとも１つのトップパネルは、該少なくとも１つのトップパネルの第１の縁及び第２の縁の間の最小距離に相当する第２の幅を有し、
前記第１の幅は前記第２の幅よりも狭く、
前記トップパネル内に、前記第１の折り線の第１の端から前記少なくとも１つのトップパネルの前記第１の縁まで延びる第１の弱化線と、前記トップパネル内に、前記第２の折り線の第２の端から前記少なくとも１つのトップパネルの前記第２の縁まで延びる第２の弱化線とを含む、複数の物品を運搬するためのカートンを形成するブランク。
【請求項２５】
前記第１の弱化線及び前記第２の弱化線は、前記第１の縁及び前記第２の縁に対して斜めである、請求項２４に記載のブランク。
【請求項２６】
前記第１のサイドパネルは、前記第１の縁に対応する第１の横方向折り線において前記トップパネルに折り曲げ可能に接続されており、前記第２のサイドパネルは、前記第２の縁に対応する第２の横方向折り線において前記トップパネルに折り曲げ可能に接続されており、前記ハンドルフラップを前記トップパネルに接続する前記折り線は、前記第１の横方向折り線及び前記第２の横方向折り線に対して直交する縦方向折り線である、請求項２５記載のブランク。
【請求項２７】
前記折り線は、前記少なくとも１つのトップパネルの端から第１の距離だけ離間しており、前記第１の弱化線は、前記少なくとも１つのトップパネルの前記端から第２の距離だけ離間した位置において前記第１の縁と交差し、前記第２の距離は前記第１の距離よりも短い、請求項２５に記載のブランク。
【請求項２８】
前記第１の弱化線は、前記トップパネル内に第１の部分と、前記第１のサイドパネル内に、前記第１の縁から延びる第２の部分とを含む、請求項２７に記載のブランク。
【請求項２９】
前記第２の弱化線は、前記トップパネル内に第１の部分と、前記第２のサイドパネル内に、前記折り線から延びる第２の部分とを含み、前記第２の弱化線の前記第１の部分は、前記折り線に対して斜めであり、前記第２の弱化線の前記第２の部分は、前記第２の縁に対して概ね垂直に延びる、請求項２８に記載のブランク。
【請求項３０】
前記ハンドル機能部は、前記トップパネル内に、前記ハンドルフラップに隣接した開口部を含み、該開口部は、概ね弓状であり、前記ハンドルフラップの湾曲縁に隣接している、請求項２４に記載のブランク。
【請求項３１】
前記少なくとも１つのハンドルフラップは、第１のハンドルフラップであり、前記折り線は第１の折り線であり、前記カートンは、第２の折り線において前記少なくとも１つのトップパネルに折り曲げ可能に接続されている第２のハンドルフラップを更に備え、該第２のハンドルフラップは、前記第１のハンドルフラップの前記第１の幅に相当する最大幅を有する、請求項２４に記載のブランク。 
【請求項３２】
前記少なくとも１つのトップパネル内に、前記第２の折り線の第１の端から前記少なくとも１つのトップパネルの前記第１の縁まで延びる第３の弱化線と、前記少なくとも１つのトップパネル内に、前記第２の折り線の第２の端から前記少なくとも１つのトップパネルの前記第２の縁まで延びる第４の弱化線とを更に含む、請求項３１に記載のブランク。
【請求項３３】
前記第１の幅は、前記第２の幅よりも少なくとも３０％狭い、請求項２４に記載のブランク。
【請求項３４】
請求項２４に記載のブランクであって、前記少なくとも１つのトップパネルは、前記第１のサイドパネルに折り曲げ可能に接続されている第１のトップパネルと、前記第２のサイドパネルに折り曲げ可能に接続されている第２のトップパネルとを含み、前記第１のトップパネルは、前記少なくとも１つのハンドルフラップを含み、前記第２のトップパネルは、前記第１のトップパネル及び該第２のトップパネルが該ブランクから形成される前記カートンにおいて重なり合うと前記少なくとも１つのハンドルフラップと位置合わせされるための開口部を含む、ブランク。
【請求項３５】
前記少なくとも１つのボトムパネルは、前記第１のサイドパネルに折り曲げ可能に接続されている第１のボトムパネルと、前記第２のサイドパネルに折り曲げ可能に接続されている第２のボトムパネルとを含む、請求項２４に記載のブランク。
【請求項３６】
前記少なくとも１つのボトムパネルは、前記第１のサイドパネル及び前記第２のサイドパネルに折り曲げ可能に接続されているボトムパネルを含む、請求項２４に記載のブランク。
【発明の詳細な説明】
【技術分野】
【０００１】
本開示は、包括的には、飲料製品の容器又は他のタイプの物品を保持して運搬するためのカートンに関する。
【０００２】
［関連出願の相互参照］
本願は、２０１０年１０月１８日付けで出願された米国仮特許出願第６１／４５５，２６９号の利益を主張する。
【０００３】
［参照による引用］
２０１０年１０月１８日付けで出願された米国仮特許出願第６１／４５５，２６９号の開示は、それらの全体が本明細書に提示されているかのように全ての目的で引用することにより本明細書の一部をなすものとする。
【発明の概要】
【０００４】
１つの態様では、本開示は、包括的には、複数の物品を運搬するためのカートンに関する。このカートンは、ボトムパネルと、ボトムパネルに折り曲げ可能に接続されている第１のサイドパネルと、ボトムパネルに折り曲げ可能に接続されている第２のサイドパネルと、第１のサイドパネル及び第２のサイドパネルのうちの少なくとも一方に折り曲げ可能に接続されている少なくとも１つのトップパネルとを備え、少なくとも１つのトップパネルは、カートンを把持して運搬するためのハンドルを備え、ハンドルは、トップパネル内にハンドル開口部を形成する少なくとも１つのハンドル機能部を含み、少なくとも１つのハンドル機能部は、少なくとも１つのトップパネルの幅よりも狭い幅を有する。
【０００５】
１つの態様では、本開示は、包括的には、複数の物品を運搬するためのカートンに関する。カートンは、少なくとも１つのボトムパネルと、少なくとも１つのボトムパネルに折り曲げ可能に接続されている第１のサイドパネルと、少なくとも１つのボトムパネルに折り曲げ可能に接続されている第２のサイドパネルと、第１のサイドパネル及び第２のサイドパネルのうちの少なくとも一方に折り曲げ可能に接続されているトップパネルと、を備える。ハンドルは、カートンを把持して運搬するためのものである。ハンドルは、折り線においてトップパネルに折り曲げ可能に接続されている少なくとも１つのハンドルフラップを含む。少なくとも１つのハンドルフラップは、少なくとも１つのハンドルフラップの最大幅に相当する第１の幅を有する。トップパネルは、このトップパネルの第１の縁及び第２の縁の間の最小距離に相当する第２の幅を有する。第１の幅は第２の幅よりも狭い。トップパネル内に、折り線の第１の端からトップパネルの第１の縁まで延びる第１の弱化線がある。トップパネル内に、折り線の第２の端からトップパネルの第２の縁まで延びる第２の弱化線がある。
【０００６】
別の態様では、本開示は、包括的には、複数の物品を運搬するためのカートンを形成するブランクに関する。ブランクは、少なくとも１つのボトムパネルと、少なくとも１つのボトムパネルに折り曲げ可能に接続されている第１のサイドパネルと、少なくとも１つのボトムパネルに折り曲げ可能に接続されている第２のサイドパネルと、第１のサイドパネル及び第２のサイドパネルのうちの少なくとも一方に折り曲げ可能に接続されている、少なくとも１つのトップパネルと、を備える。ブランクは、このブランクから形成されるカートンを把持して運搬するためのハンドルを形成するハンドル機能部を備える。ハンドル機能部は、第１の折り線においてトップパネルに折り曲げ可能に接続されている少なくとも１つのハンドルフラップを含む。少なくとも１つのハンドルフラップは、この少なくとも１つのハンドルフラップの最大幅に相当する第１の幅を有する。少なくとも１つのトップパネルは、この少なくとも１つのトップパネルの第１の縁及び第２の縁の間の最小距離に相当する第２の幅を有する。第１の幅は第２の幅よりも狭い。トップパネル内の第１の弱化線が、第１の折り線の第１の端から少なくとも１つのトップパネルの第１の縁まで延びる。トップパネル内の第２の弱化線が、第２の折り線の第２の端から少なくとも１つのトップパネルの第２の縁まで延びる。
【０００７】
別の態様では、本開示は、包括的には、ブランクからカートンを形成する方法に関する。
【０００８】
別の態様では、本開示は、包括的には、カートンを運搬する方法に関する。
【０００９】
本開示の他の態様、特徴及び詳細は、図面と組み合わせた例示的な実施形態の以下の詳細な説明の参照及び添付の特許請求の範囲から、より完全に理解されることができる。
【００１０】
当業者は、添付図面を参照して実施形態の以下の詳細な説明を読むことによって、上記の利点、並びに多様な追加の実施形態の他の利点及び利益を理解するであろう。さらに、以下で説明する図面の多様な特徴は、必ずしも一定の縮尺比で描かれているとは限らない。図面における多様な特徴及び要素の寸法は、本開示の実施形態をより明確に示すために拡大又は縮小されている場合がある。
【図面の簡単な説明】
【００１１】
【図１】本開示の第１の実施形態によるカートンを形成するのに用いられるブランクの外面の平面図である。
【図１Ａ】図１の拡大部分を示す図である。
【図２】第１の実施形態のカートンの端面斜視図である。
【図３】第１の実施形態のカートンの上面図である。
【図４】運搬されている第１の実施形態のカートンの側面斜視図である。
【図５】図４の拡大詳細図である。
【図６】本開示の第２の実施形態によるカートンを形成するのに用いられるブランクの外面の平面図である。
【図６Ａ】図６の拡大部分図である。
【図７】運搬されている第２の実施形態のカートンの側面斜視図である。
【発明を実施するための形態】
【００１２】
対応する部分は、図面を通して対応する参照符号によって示されている。
【００１３】
本開示は、包括的に、容器、ボトル、缶等のような物品を収容するカートン又はキャリアの種々の特徴に関する。物品は、例えば、食品及び飲料製品を包装するために用いることができる。物品は、特定の食料品又は飲料品を包装するのに適した組成の材料から作ることができ、その材料は、ガラス及び／又は他の金属、アルミニウム、ＰＥＴ、ＬＤＰＥ、ＬＬＤＰＥ、ＨＤＰＥ、ＰＰ、ＰＳ、ＰＶＣ、ＥＶＯＨ、及びナイロン等のプラスチック等、又はそれらの任意の組み合わせを含むが、これらに限定はされない。
【００１４】
本開示によるカートン又はキャリアは、任意の形状の容器を収容することができる。本開示の範囲を限定することを目的とせず、説明することを目的として、以下の詳細な説明では、カートンの実施形態の中に配置される飲料製品の容器（例えば、キャップＣを有するガラス飲料ボトルＢ）について説明する。本明細書において、「下側」、「ボトム」、「上側」、及び「トップ」という用語は、完全に組み立てられて直立したカートンに関して決定される向きを示す。
【００１５】
図１は、本開示の第１の実施形態によるカートン５（図２）を形成するのに用いられるブランク３の外面２の平面図である。カートン５は、容器Ｂ（図２）等の複数の物品を収容するのに用いることができる。第１の実施形態では、容器Ｂは飲料用ボトルであり、カートン５は、２×３構成の単一層で６本の容器を収容するようにサイズ決めされている。しかしながら、カートン５は、２つ以上の層、及び／又は様々な横列／縦列の構成で（例えば、１×６、２×６、２×４、２×２、２×６×２、２×４×２、２×９等）、異なる数量若しくは同じ数量の容器Ｂを保持するようなサイズ及び形状にすることができることが理解される。図示の実施形態では、カートン５は、容器Ｂを包囲する、概ね開放した端６、８（図４）を有するキャリアである（例えば、カートン５はラップアラウンド（wrap-around）カートンと称される場合がある）。カートン５は、端６、８が端部フラップ（図示せず）又は他の閉鎖機構等によって少なくとも部分的に閉鎖されるように他の形状及び配置にすることができる。
【００１６】
ブランク３は、縦軸Ｌ１及び横軸Ｌ２を有する。第１の実施形態では、ブランク３は、第１の横方向折り線２１において第１のサイドパネル２０に折り曲げ可能に接続されているトップパネル１０と、第２の横方向折り線３１において第１のサイドパネル２０に折り曲げ可能に接続されている第１のボトムパネル３０と、第３の横方向折り線４１においてトップパネル１０に折り曲げ可能に接続されている第２のサイドパネル４０と、第４の横方向折り線５１において第２のサイドパネル４０に折り曲げ可能に接続されている第２のボトムパネル５０とを備える。図示の実施形態では、ブランク３は、横方向折り線２１の部分を分離する３つの開口部２２と、横方向折り線４１の部分を分離する３つの開口部２４とを含む。開口部２２のそれぞれは、それぞれの湾曲縁２６を有し、湾曲縁２６は横方向折り線２１と協働してトップパネル１０の第１の縁を形成する。開口部２４のそれぞれは、それぞれの湾曲縁２８を有し、湾曲縁２８は横方向折り線４１と協働してトップパネル１０の第２の縁を形成する。
【００１７】
図１及び図１Ａに示されるように、ブランク３は、カートン５においてハンドル７を形成するハンドル機能部を備える。１つの実施形態では、ハンドル機能部は、第１のハンドルフラップ１２と第２のハンドルフラップ１４とを含み、各ハンドルフラップは、それぞれの縦方向折り線１３、１５においてトップパネル１０にそれぞれ折り曲げ可能に取り付けられている。図示の実施形態では、ハンドル機能部は、トップパネル１０においてそれぞれのハンドルフラップ１２、１４に隣接した弓状のカットアウト７１、７３を含む。ハンドル機能部は、横方向折り線１３の第１の端から延びる第１の引き裂き線７５（広義には「第１の弱化線」）と、横方向折り線１３の第２の端から延びる第２の引き裂き線７７（広義には「第２の弱化線」）とを含む。同様に、ハンドル機能部は、第１の引き裂き線７５の鏡像であるとともに横方向折り線１５の第１の端から延びる第３の引き裂き線７５（広義には「第３の弱化線」）と、第２の引き裂き線７７の鏡像であるとともに横方向折り線１５の第２の端から延びる第４の引き裂き線７７（広義には「第４の弱化線」）とを含む。１つの実施形態では、引き裂き線７５のそれぞれは、トップパネル１０においてそれぞれの縦方向折り線１３、１５の第１の端から横方向折り線２１まで延びる第１の部分７９と、第１の部分から延びるとともに第１のサイドパネル２０におけるＪ字型の切れ目８３において終端する第２の部分８１とを有する。図１及び図１Ａに示されるように、第１の部分７９は、折り線１３、１５と、トップパネル１０の第１の縁を形成する横方向折り線２１とに対して概ね斜めである。１つの実施形態では、第２の部分８１は、ブランク３の縦方向Ｌ１に延びており、横方向折り線２１に対して概ね垂直である。引き裂き線７７は、引き裂き線７５と概ね同様の形状を有し、また、それぞれの縦方向折り線１３、１５の第２の端から横方向折り線４１まで延びる第１の部分８５と、第１の部分から延びるとともに第２のサイドパネル４０におけるＪ字型の切れ目８９において終端する第２の部分８７とを有する。１つの実施形態では、第１の部分８５は、折り線１３、１５と、トップパネル１０の第２の縁を形成する折り線４１とに対して概ね斜めである。１つの実施形態では、第２の部分８７は、ブランク３の縦方向Ｌ１に延びており、横方向折り線４１に対して概ね垂直である。ハンドルフラップ１２、１４は、それぞれのカットアウト７１、７３からそれぞれの引き裂き線７５、７７まで延びるそれぞれの切れ目９１、９３（図１Ａ）によって更に画定される。ハンドル７を形成する機能部は、本開示から逸脱することなく、別様の形状、配置、及び／又は構成にすることができる。
【００１８】
１つの実施形態では、トップパネル１０は、トップパネルのそれぞれの第１の縁及び第２の縁を形成する折り線２１、４１の間の最小距離に相当する幅Ｗ１を有する。ハンドルパネル１２、１４は、切れ目９１と引き裂き線７５との交点と、切れ目９３と引き裂き線７７との交点との間の距離に相当する最大幅Ｗ２を有する。１つの例示的な実施形態では、幅Ｗ２は幅Ｗ１よりも狭い。例えば、１つの実施形態では、トップパネル１０の幅Ｗ１は少なくとも略６８ｍｍとすることができ、ハンドルパネル１２、１４の幅Ｗ２は、幅Ｗ２が幅Ｗ１の少なくとも略７０％であるように少なくとも約４７ｍｍとすることができる。さらに、幅Ｗ２は、幅Ｗ１よりも少なくとも略３０％狭いものとすることができる。他の実施形態では、幅Ｗ２は、幅Ｗ１よりも３０％以上小さいものとすることができるか、又は幅Ｗ１の７０％未満とすることができる。図示の実施形態では、ハンドルフラップ１２、１４は、一般ユーザーに手全体を使わせずに（例えば、２本の指又は３本の指で）ハンドルフラップ１２、１４のそれぞれを折り曲げさせることができるようにする幅Ｗ２を有する。上記の寸法は、１つの実施形態の例示であり、本開示の範囲を制限するように意図されていない。ブランク３は、本開示の範囲から逸脱することなく他の寸法を有することができる。
【００１９】
例示的な実施形態では、ハンドルフラップ１２をトップパネルに接続する折り線１３は、ブランク３から形成されるカートン５の第１の端６と一致する、ブランクの縦方向に延びる縁９６から第１の距離Ｄ１だけ離間しており、引き裂き線７５、７７とそれぞれの横方向折り線２１、４１との交点は、ブランクの縁９６から第２の距離Ｄ２だけ離間している。１つの実施形態では、ハンドル機能部は、引き裂き線７５、７７の第２の部分８１、８７が、サイドパネル内の、ハンドルフラップ１２、１４が把持される場所からずれた位置において延びるよう、第１の距離Ｄ１が第２の距離Ｄ２よりも長いように構成されている。１つの実施形態では、距離Ｄ１は略６４ｍｍであり、距離Ｄ２は略４８ｍｍであるが、距離Ｄ１、Ｄ２は、本開示から逸脱することなく本明細書に挙げられた距離よりも長くも短くもすることができる。同様に、折り線１５は、ブランク３から形成されるカートン５の第２の端８と一致する、ブランクの縦方向に延びる縁９８から第１の距離Ｄ１だけ離間しており、折り線１５から延びる引き裂き線７５、７７とそれぞれの横方向折り線２１、４１との交点は、縁９８から第２の距離Ｄ２だけ離間している。
【００２０】
カートン５を組み立てる例示的な方法では、ブランク３は、トップパネル１０が容器の頂部に接触するように、容器Ｂの頂部すなわちキャップＣ上に被せる（lowered）ことができる。容器Ｂを一群にして（例えば、２×３構成で）配置することができ、トップパネル１０は、折り線２１、４１に対応するトップパネル１０の縁が第１の横列の容器及び第２の横列の容器のそれぞれの中心線Ｃ１、Ｃ２（図３）と位置合わせされるように、容器の群と位置合わせされる。また、図３に示されるように、それぞれの開口部２２、２４の縁２６、２８は、容器ＢのキャップＣの形状に概ね対応する。縁２６、２８は、容器Ｂの頂部Ｃに重なるトップパネル１０の突出部を形成する。ボトルＢの部分は、トップパネル１０及びサイドパネル２０、４０内にある開口部２２、２４を通して見えるものであり、またその開口部２２、２４を通じて突出することができる。サイドパネル２０、４０をトップパネル１０に対して下方に折り曲げることによって、ブランク３を、包装される容器Ｂの群の周りにしっかりと巻くことができる。ボトムパネル３０、５０を少なくとも部分的に重ねて接着剤によって固定することができるか、又はボトムパネルは、接着剤を使用することなくパネルを係止する係止機能部を有することができる。
【００２１】
図４及び図５に示されるように、ハンドル７は、ハンドルパネル１２、１４を内方に折り曲げて開口部７１、７３を拡大することによって機能化される（activated）。ユーザーが親指を開口部７１、７３のうちの一方に挿入し、かつ１本の指又は２本の指を開口部７１、７３のうちの他方に挿入することによって、カートン５をハンドル７において把持することができる。ハンドル７が機能化され、かつカートン５が持ち上げられると、引き裂き線７５、７７が引き裂かれ、その結果、トップパネル１０における引き裂き線７９、８５が引き裂かれ、またサイドパネル２０、４０における引き裂き線８１、８７が引き裂かれる。引き裂き線７５、７７は、カートン５の材料の更なる引き裂き又は弱化／制御されない引き裂き又は弱化を防ぐように配置され、結果として、強化されたハンドル７をもたらす。カートン５の、折り線１３、及び折り線１３から延びる引き裂き線７５、７７と、折り線１５、及び折り線１５から延びる引き裂き線７５、７７との間の部分は、カートン５の、ハンドル７の機能部の構成と制御された引き裂きとによって強化された、補強された持ち上げ部分９９を形成する。１つの実施形態では、持ち上げ部分９９は、トップパネル１０の一部分と、サイドパネル２０の一部分及びサイドパネル４０の一部分とを含むが、持ち上げ部分は、本開示から逸脱することなく、別様の形状、配置、及び／又は構成にすることができる。
【００２２】
ハンドルパネル１２、１４は、ユーザーがトップパネル１０に通すことができる指の数を制限するサイズになっている。ハンドル７内に挿入される指の数（amount）を制限することによって、カートン５の制御されない引き裂き及びハンドルの弱化を引き起こす可能性がある、手全体がハンドル内へ挿入される傾向を防ぐ。
【００２３】
図６及び図７は、本開示の第２の実施形態によるカートン１０５（図７）を形成するのに用いられるブランク１０３を示す。第２の実施形態は、当業者には明らかである上述の変形及び他の変形を除いて、図１〜図５を参照して示されて説明される第１の実施形態と同様である。図６及び図７では、図１〜図５において示される参照符号と同様の参照符号は、図６〜図８における参照符号に「１」を前に付けた、同様の（like or similar）要素を示す。ブランク１０３は、第１の実施形態のハンドル７と同様であるカートン１０５のハンドル１０７を形成するハンドル機能部を備える。第２の実施形態のカートン１０５は、２×６構成に配置された、２つの横列の６本の容器Ｂを含むが、カートンは別様に配置にされた（例えば、１×６、２×３、２×４、２×２、２×６×２、２×４×２、２×９等）容器を有し得る。
【００２４】
図６及び図７の実施形態では、ブランク１０３は、単一のボトムパネル１３０と、横方向折り線１３１においてボトムパネルに折り曲げ可能に接続されている第１のサイドパネル１２０と、横方向折り線１５１においてボトムパネルに折り曲げ可能に接続されている第２のサイドパネル１４０と、横方向折り線１２１において第１のサイドパネルに折り曲げ可能に接続されている第１のトップパネル１１０ａと、横方向折り線１４１において第２のサイドパネル１４０に折り曲げ可能に接続されている第２のトップパネル１１０ｂとを備える。ブランク１０３の２つのトップパネル１１０ａ、１１０ｂを重ね合わせてカートン１０５のトップパネル１１１を形成する。第２の実施形態では、第２のサイドパネル１４０は、ブランク１０３を横方向にわたって延びるとともに２つの離間した引き裂き線１４４、１４６によって形成される、引き裂きストリップの形態の取り出し（dispensing）機能部１４２を有する。ボトムパネル１３０及び２つのサイドパネル１２０、１４０は、カートン１０５の持ち上げ及び運搬を容易にする一連の離間した開口部１３２、１３４、１３６の形態の弱化機能部を有する。弱化線１３８は、ボトムパネル１３０内のそれぞれの開口部間に延びる。弱化線１３８は、引き裂き機能部を形成する離間した切れ目とすることができるか、又はそれぞれの開口部１３２、１３４、１３６間に延びる折り線とすることができる。
【００２５】
第２の実施形態では、第１のトップパネル１１０ａは、折り線１１３、１１５においてトップフラップに折り曲げ可能に接続されているハンドルパネル１１２、１１４を含む。ハンドルパネル１１２、１１４は、それぞれの引き裂き線１１７、１１８によってトップパネル１１０ａから分離可能である。第１の実施形態と同様に、ハンドルパネル１１２、１１４は、トップパネル１１０ａ、及びトップパネル１１０ａ、１１０ｂの重なり構成によって形成されるトップパネル１１１のそれぞれの縁の間の幅Ｗ１よりも狭い最大幅Ｗ２を有する。第１の実施形態の幅Ｗ１、Ｗ２に関して上述した寸法は、第２の実施形態に関して対応する寸法と同じか又は同様とすることができる。
【００２６】
第２の実施形態では、幅Ｗ１は、横方向折り線１２１と、ブランク１０３の横方向に延びる縁１５２との間の最小距離である。第２の実施形態のブランク１０３は、第１の実施形態の開口部２２、２４と同様の開口部１２２、１２４をそれぞれのサイドパネル１２０、１４０内に有する。また、ブランク１０３は、カートン１０５内で保持される容器Ｂの底部を受け入れる開口部１２５、１２７をそれぞれのサイドパネル１２０、１４０内に有する。
【００２７】
カートン１０５は、前述の実施形態のカートン５と同様に形成される。１つの実施形態では、容器Ｂは、２×６構成になるように群に分けられて、ブランク１０３のボトムパネル１３０上に配置される。ブランク１０３は、第２のトップパネル１１０ｂが容器Ｂの頂部すなわちキャップＣと接触し、第１のトップパネル１１０ａが第２のトップパネルに重なってカートン１０５のトップパネル１１１を形成するように、一群の容器Ｂの周りに巻かれる。第１のトップパネル１１０ａ及び第２のトップパネル１１０ｂを糊又は他の接着剤によって貼り合わせることができ、又はカートン１０５を他の機構によって固定することができる。
【００２８】
図６及び図７の実施形態では、第２のトップパネル１１０ｂは、２つのハンドル開口部１７１、１７３を有する。トップパネル１１０ａ、１１０ｂが重なり合うと、ハンドルパネル１１２、１１４は、ハンドル１０７が機能化されるときにハンドルパネルを受け入れるように位置合わせされるハンドル開口部１７１、１７３を覆う。ブランク１０３のハンドル機能部は、第１のトップパネル１１０ａ内の折り線１１３、１１５の端から第１のサイドパネル１２０内へ延びるそれぞれの引き裂き線１７７を含む。ブランク１０３のハンドル機能部は、第２のトップパネル１１０ｂ内のハンドル開口部１７１、１７３から第２のサイドパネル１４０内に延びるそれぞれの引き裂き線１７５を含む。
【００２９】
第１の実施形態と同様に、引き裂き線１７５、１７７は、ハンドル１０７の機能化時に、制御された引き裂きを可能にしてハンドルを強化するとともに、制御されない引き裂きを防ぐ機能部を有する。第２の実施形態では、引き裂き線１７７は、折り線１１３、１１５のそれぞれの端から横方向折り線１２１まで延びる、湾曲した第１の部分１８５を含む。引き裂き線１７７の第２の部分１８７が、第１の部分１８５から延び、第１のサイドパネル１２０内のＣ字型の切れ目１８９において終端する。１つの実施形態では、第１の部分１８５は概ね湾曲しており、第２の部分１８７は、ブランク１０３の縦方向Ｌ１に延び、横方向折り線１２１に対して概ね垂直である。同様に、引き裂き線１７５は、第２のトップパネル１１０ｂ内の開口部１７１、１７３から延びる湾曲した第１の部分１７９と、縦方向Ｌ１に延びるとともに横方向折り線１４１に対して概ね垂直である第２の部分１８１とを有する。第２の部分１８１は、第２のサイドパネル１４０内のＣ字型の切れ目１８３において終端する。第２の実施形態では、ブランク１０３は、第１のトップパネル１１０ａ内の折り線１１３、１１５のそれぞれの第２の端から、ブランクの横方向に延びる縁１５２まで延びる、湾曲した引き裂き線１９０を有する。ブランク１０３は、第２のトップパネル１１０ｂ内のそれぞれの開口部１７１、１７３から、ブランクの横方向に延びる縁１５４まで延びる、湾曲した引き裂き線１８０を有する。湾曲した引き裂き線１９０は、第１のトップパネル１１０ａ及び第２のトップパネル１１０ｂが重なり合ってカートン１０５のトップパネル１１１を形成すると、引き裂き線１７５のそれぞれの第１の部分１７９の一部に重なる。さらに、湾曲した引き裂き線１９０は、第１のトップパネル１１０ａ及び第２のトップパネル１１０ｂが重なり合ってカートン１０５のトップパネル１１１を形成すると、引き裂き線１７７のそれぞれの第１の部分１８５の一部に重なる。
【００３０】
１つの実施形態では、ブランク１０３は、第１のトップパネル１１０ａ内の弱化線１９２（例えば、折り線）と、第２のトップパネル１１０ｂ内の弱化線１９４（例えば、折り線）とを有する。弱化線１９２、１９４は、第１のトップパネル１１０ａを第２のトップパネル１１０ｂ上に重ねることによってトップパネル１１１が形成されると弱化線１９２が弱化線１９４に重なるようにそれぞれのトップパネル１１０ａ、１１０ｂ内に位置決めされている。弱化線１９２、１９４は、ハンドル１０７の形成を容易にするのに役立ち、また、カートン１０５がハンドルにおいて把持されて持ち上げられる（図７）ときに、カートンの持ち上げ部分１９９が引き裂かれることなく撓むことを可能にする。
【００３１】
前述の実施形態と同様に、カートン１０５は、ハンドル１０７において持ち上げて運搬することができる。ハンドル１０７が機能化され、かつカートン１０５が持ち上げられると、引き裂き線１７５、１７７が引き裂かれるが、この場合、それらの引き裂き線１７５、１７７は、カートン１０５の材料の更なる引き裂き又は弱化／制御されない引き裂き又は弱化を防ぐように配置され、結果として、強化されたハンドル１０７をもたらす。カートン１０５の、折り線１１３、及び折り線１１３から延びる引き裂き線１７５、１７７と、折り線１１５、及び折り線１１５から延びる引き裂き線１７５、１７７との間の部分は、カートン１０５の、ハンドル１０７の機能部の構成と制御された引き裂きとによって強化された、補強された持ち上げ部分１９９を形成する。１つの実施形態では、持ち上げ部分１９９は、トップパネル１１０の一部分と、サイドパネル１２０の一部分及びサイドパネルの一部分とを含むが、持ち上げ部分は、本開示から逸脱することなく、別様の形状、配置、及び／又は構成にすることができる。さらに、ハンドルパネル１１２、１１４、及び開口部１７１、１７３は、ユーザーがハンドル１０７を機能化するためにトップパネル１１１に通すことができる指の数を制限するサイズになっている。ハンドル１０７内に挿入される指の数を制限することによって、カートン１０５の制御されない引き裂き及びハンドルの弱化を引き起こす可能性がある、手全体がハンドル内へ挿入される傾向を防ぐ。
【００３２】
本開示によるブランクは、例えば、コート紙の厚紙及び同様の材料から形成することができる。例えば、ブランクの内側面及び／又は外側面をクレーコートでコーティングすることができる。続いて、クレーコート上に製品、広告、価格コード、及び他の情報又は画像を印刷してもよい。続いて、ブランクに印刷されているあらゆる情報を保護するために、ブランクをワニスでコーティングすることができる。ブランクの片面又は両面を、例えば防湿層でコーティングすることもできる。上述の実施形態に応じて、ブランクは、通常の紙よりも重く硬質であるような厚さの厚紙で作成してもよい。ブランクは、ボール紙、硬化紙等の他の材料、又はカートンが少なくとも概して上述したように機能することができるようにするのに適した特性を有する任意の他の材料で作成することもできる。ブランクは、選択されたパネル又はパネルセクションに１つ又は複数のシート状材料を積層又はコーティングすることもできる。
【００３３】
本開示の上述の実施形態によれば、折り線は、それに沿った折り曲げを容易にする、必ずしも直線状ではないが実質的に線状の任意の弱化形態とすることができる。本開示の範囲を狭めるためではないが、より具体的には、折り線は、所望の弱化線に沿って材料に圧潰部分を作る鈍いスコアリングナイフ等で形成される線等のスコア線、所望の弱化線に沿って材料に少なくとも部分的に入れ込んだ切れ目、及び／又は所望の弱化線に沿って材料に部分的に入れ込むか、かつ／又は完全に貫通する一連の切れ目、並びにこれらの機能部の多様な組み合わせを含む。
【００３４】
前述の説明は、本開示の種々の実施形態を例示及び説明するものである。種々の変更を上記構成内でなし得るので、上記説明に含まれるか又は添付図面に示されている全ての事項が、限定的な意味ではなく例示として解釈されることが意図される。さらに、本開示は、上述の実施形態の種々の変更形態、組み合わせ及び変形形態等をカバーする。本開示は、例示的な実施形態を参照しながら上記で説明されているが、特許請求の範囲の範囲内から逸脱することなく、それらの実施形態に種々の追加、変更及び変形を行うことができることが理解されるであろう。さらに、本開示の範囲から逸脱することなく、各実施形態の特定の特徴及び特性を選択的に入れ替え、他の説明された実施形態及び説明されていない実施形態に適用することができる。
【図１】
2014503425.tif 000003
【図１Ａ】
2014503425.tif 000004
【図２】
2014503425.tif 000005
【図３】
2014503425.tif 000006
【図４】
2014503425.tif 000007
【図５】
2014503425.tif 000008
【図６】
2014503425.tif 000009
【図６Ａ】
2014503425.tif 000010
【図７】
2014503425.tif 000011
【国際調査報告】
2014503425.tif 000012
2014503425.tif 000013